(57)【特許請求の範囲】
【請求項１】
ハンドル本体（１）をプッシュプルすることによりラッチ(5a)を錠前(５)内に没入させて開錠させるようになったプッシュプル錠用のドアハンドルであって、ドア（Ｄ）の表面に取り付けられた固定プレート（30,40）と、ドア（Ｄ）に対し平行に設けられた心棒(31,41)及び可動心棒（43,33）により固定プレート（30,40）に揺動自在に取り付けられた揺動プレート(32,42)と、固定プレート（30,40）を貫通して錠前（５）のケーシング(5b)内に突出し、揺動プレート(32,42)と共に揺動する押金(34,44)とを有し、前記揺動プレート(32,42)を揺動させることにより、押金(34,44)の先で錠前（５）の摺動する操作(5ｃ)を操作し、ラッチ(5a)を錠前（５）内に没入可能としており、揺動プレート(32,42)と固定プレート（30,40）を覆う態様で、前記揺動プレート(32,42)に化粧プレート(39,49)を固定し、前記化粧プレート(39,49)にハンドル本体（１）及び取付足金具（２）をネジ止めするようにしてあることを特徴とするプッシュプル錠用のドアハンドル。
【請求項２】
押金（34,44）が、心棒(31,43)に一端が貫通されて取り付けられたＬ字形をしたものであり、さらに押金（34,44）の揺動プレート(32,42)側の面が揺動プレート(32,42)と接するようになっていることを特徴とする請求項１記載のプッシュプル錠用のドアハンドル。
【発明の詳細な説明】
【０００１】
【発明の属する技術分野】
この発明は、建物用ドアに取り付けられ、ハンドル本体をプッシュプル（押す又は引く）することによりラッチを錠前内に没入させて開錠させるようになったプッシュプル錠用のドアハンドルに関するものである。
【０００２】
【従来の技術】
プッシュプル錠は、他の錠前とは構造が異なるため、使用されるドアハンドルも専用に設計されたものが必要であり、希望するデザインのドアハンドルがあってもプッシュプル錠用のものでなければ取り付けできないという問題点があった。
【０００３】
さらに、ハンドル本体に錠前の操作部を操作するための押金を設ける必要があり、デザイン的な制約もあった。
【０００４】
【発明が解決しようとする課題】
そこでこの発明では、従来のドアハンドルのプレート部分を改良することにより、ハンドル本体及び取付足金具の構造を変えずにそのまま取り付け可能としたプッシュプル錠用のドアハンドルを提供することを目的とする。
【０００５】
【課題を解決するための手段】
そのためこの発明では、ハンドル本体（１）をプッシュプルすることによりラッチ(5a)を錠前(５)内に没入させて開錠させるようになったプッシュプル錠用のドアハンドルであって、ドア（Ｄ）の表面に取り付けられた固定プレート（30,40）と、ドア（Ｄ）に対し平行に設けられた心棒(31,41)及び可動心棒（43,33）により固定プレート（30,40）に揺動自在に取り付けられた揺動プレート(32,42)と、固定プレート（30,40）を貫通して錠前（５）のケーシング(5b)内に突出し、揺動プレート(32,42)と共に揺動する押金(34,44)とを有し、前記揺動プレート(32,42)を揺動させることにより、押金(34,44)の先で錠前（５）の摺動する操作(5ｃ)を操作し、ラッチ(5a)を錠前（５）内に没入可能としており、揺動プレート(32,42)と固定プレート（30,40）を覆う態様で、前記揺動プレート(32,42)に化粧プレート(39,49)を固定し、前記化粧プレート(39,49)にハンドル本体（１）及び取付足金具（２）をネジ止めするようにしてあるプッシュプル錠用のドアハンドルとした。
【０００６】
このようにすれば、構造が簡単であるので、従来のプッシュプル錠用のドアハンドルに比べてプレート部分の厚さを薄くすることができる。さらに、ハンドル本体１と取付足金具２は、揺動プレート32，42に取り付けられており、構造を変更する必要がないので、従来のものが使用できる。
【０００７】
請求項２記載の発明では、押金（34,44）が、心棒(31,43)に一端が貫通されて取り付けられたＬ字形をしたものであり、さらに押金（34,44）の揺動プレート(32,42)側の面が揺動プレート(32,42)と接するようになっているものとした。
【０００８】
このようにすれば、厚さの異なるドアに適用する場合には、押金34，44を交換するだけで良くなり、汎用性に富む。
【０００９】
【発明の実施の形態】
図１は、この発明のドアハンドルをドアに取り付けた状態を示す斜視図であり、図２はこの発明のドアハンドルの断面図である。
【００１０】
この発明のドアハンドルは、丸棒状のハンドル本体１と、ハンドル本体１の上下に取り付けられた取付足金具２と、取付足金具２が固定されたプレート３，４からなる。
【００１１】
それぞれのプレート３，４はドアＤの表面に取り付けられており、ドアＤの中には錠前５が取り付けられており、ハンドル本体１をプッシュプルすることによりラッチ5aを錠前５のケーシング5b内に没入可能としている。
【００１２】
ハンドル本体１と、取付足金具２は、公知の構造のものであるので、説明を省略する。
【００１３】
錠前５は、所謂反転式ラッチ錠であり、摺動する操作部5cを有しており、操作部5cの僅かな移動でラッチ5aが反転後退可能状態となる市販されている公知構造のものを採用している。
【００１４】
プレートには、ハンドル本体１を押したときにラッチ5aを没入可能とするプッシュ側のプレート３と、ハンドル本体１を引いたときにラッチ5aを没入可能とするプル側のプレート４があり、これらはドアＤに取り付けられたとき、図３に示すように、２本のジョイントスペーサ６により連結される。プレート３，４とジョイントスペーサ６は、ネジ７で固定される。
【００１５】
次に、図４によりプッシュ側のプレート３の構造を説明する。
【００１６】
プッシュ側のプレート３は、ドアＤの表面に取り付けられた固定プレート30と、ドアＤの表面に平行（地面に対し垂直方向）に設けられた心棒31により固定プレート30に揺動自在に取り付けられた揺動プレート32とを有しており、揺動プレート32はドアハンドルの取付足金具２を取り付け可能になっている。そのため、ハンドル本体１を押すと、心棒31を中心として揺動プレート32が揺動するようになっている。
【００１７】
さらに詳しく説明すると、固定プレート30は長方形をしており、長辺方向を縦にしてドアＤの表面に取り付けられる。固定プレート30の底面には地面に対し水平方向に設けた立ち壁30a,30b が上下に形成されており、そこにはそれぞれ二つ穴が形成されており、一方の穴30c （図４、図示右側）は、心棒31を挿通するための穴であり、他方の穴30d （図４、図示左側）は、ドア面垂直方向（図４、図示上下方向）に長い長穴となっており、可動心棒33を挿通するための穴となっている。前記立ち壁30a,30b の間は、後述する押金34の先を挿通する穴となっている。
【００１８】
揺動プレート32は、固定プレート30を覆う大きさに形成されており、揺動プレート32の固定プレート30側面には固定プレート30の立ち壁30a,30b の外側に沿うように二つ立ち壁32a,32b が上下に形成され、そこにはそれぞれ二つ穴32c,32d が形成されている。
【００１９】
一方の穴32c （図４、図示右側）は、心棒31を挿通するための穴であり、他方の穴32d （図４、図示左側）は、可動心棒33を挿通するための穴となっている。
【００２０】
可動心棒33は、固定プレート30の穴30d を移動することにより、揺動プレート32が必要以上に揺動しないように揺動角度を制限する役割をしている。
【００２１】
押金34は、直交する二つ矩形片からなる略Ｌ字形をしており、一方の矩形片は端に穴が形成されており、その穴には心棒31が挿通されるようになっており、さらに揺動プレート32側の面が揺動プレート32に接するようになっている。またさらに、他方の矩形片の先端は、錠前５の操作部5cを押して摺動させるようになっている。
【００２２】
心棒31に挿通されて押金34の両側に設けられたパイプ35,36 は、押金34の位置を決めるためのスペーサである。
【００２３】
符号37,38 は、ハンドル本体１を押して揺動プレート32が揺動した後、揺動プレート32を元の位置に戻すためのバネである。
【００２４】
符号39は、化粧プレートであり、固定プレート30と揺動プレート32を覆うようになっている。
【００２５】
符号21は、取付足金具２を取り付けるための円筒形のコロであり、コロ21の中心を挿通するボルト・ナットにより揺動プレート32及び化粧プレート39に固定される。
【００２６】
次に、図５によりプッシュ側と反対側に取り付けられたプル側のプレート４の構造を説明する。
【００２７】
プル側のプレート４は、ドアＤの表面に取り付けられた固定プレート40と、ドアＤの表面に平行且つ垂直方向に設けられた心棒41により固定プレート40に揺動自在に取り付けられた揺動プレート42とを有しており、揺動プレート42はドアハンドルの取付足金具２を取り付け可能になっている。そのため、ハンドル本体１を引くと、心棒41を中心として揺動プレート42が揺動するようになっている。
【００２８】
さらに詳しく説明すると、固定プレート40は長方形をしており、長辺方向を縦にしてドアＤの表面に取り付けられる。固定プレート40の底面には地面に対し水平方向に設けた立ち壁40a,40b が上下に形成されており、そこにはそれぞれ二つ穴が形成されており、一方の穴40c （図５、図示左側）は、心棒41を挿通するための穴であり、他方の穴40d （図５、図示右側）は、ドア面垂直方向（図５、図示上下方向）に長い長穴となっており、可動心棒43を挿通するための穴となっている。前記立ち壁40a,40b の間は、後述する押金44の先を挿通する穴となっている。
【００２９】
揺動プレート42は、固定プレート40を覆う大きさに形成されており、揺動プレート42の固定プレート40側面には固定プレート40の立ち壁40a,40b の内側に沿うように二つ立ち壁42a,42b が上下に形成され、そこにはそれぞれ二つ穴42c,42d が形成されている。
【００３０】
一方の穴42c （図５、図示左側）は、心棒41を挿通するための穴であり、他方の穴42d （図５、図示右側）は、可動心棒43を挿通するための穴となっている。
【００３１】
可動心棒43は、固定プレート40の穴40d を移動することにより、揺動プレート42が必要以上に揺動しないように揺動角度を制限する役割をしている。
【００３２】
押金44は、直交する二つ矩形片からなる略Ｌ字形をしており、一方の矩形片は端に穴が形成されており、その穴には心棒41が挿通されるようになっており、さらに揺動プレート42側の面が揺動プレート42に接するようになっている。またさらに、他方の矩形片の先端は、錠前５の操作部5cを押して摺動させるようになっている。
【００３３】
心棒41に挿通されて押金44の両側に設けられたパイプ45,46 は、押金44の位置を決めるためのスペーサである。
【００３４】
符号47,48 は、ハンドル本体１を引いて揺動プレート42が揺動した後、揺動プレート42を元の位置に戻すためのバネである。
【００３５】
符号49は、化粧プレートであり、固定プレート40と揺動プレート42を覆うようになっている。
【００３６】
符号22は、取付足金具２を取り付けるためのネジであり、揺動プレート42と化粧プレート49を固定する役割もしている。
【００３７】
以上が、各構成部品の説明であり、プッシュ側のハンドル本体１を押すと、図２に示すように、心棒31を中心として揺動プレート32が揺動し、それにつれて押金34の先が図示反時計廻りに回動する。すると、錠前５のケーシング5b内の操作部5cが図示左側に移動し、ラッチ5aが反転後退可能となる。
【００３８】
プル側のハンドル本体１を引くと、図２に示すように、心棒41を中心として揺動プレート42が揺動し、それにつれて押金44の先が図示時計廻りに回動する。すると、錠前５のケーシング5b内の操作部5cが図示右側に移動し、ラッチ5aが反転後退可能となる。
【００３９】
以上が実施例であり、本発明はハンドル本体１をプッシュプルして揺動プレート32,42 を揺動させ、押金34,44 を揺動させることにより、錠前５を開錠可能としたことを特徴としており、その他の構成については適宜変更して実施可能である。
【００４０】
厚さが異なるドアＤにこの発明のドアハンドルを適用する場合は、押金34，44を交換するだけで対応できるので、汎用性に富む。
【００４１】
この実施例では、ハンドル本体１の下側にもプレート３，４を使用しているが、下側には錠前５を設けていないので、プレート３，４には押金34，44を省いて実施することもできる。
【００４２】
さらに、この実施例では、ハンドル本体１と取付足金具２，２を別体としたものの例を示したが、一体としても実施できる。
【００４３】
【発明の効果】
この発明では、上述のように、ハンドル本体１と取付足金具２，２の部分は従来のものと同一の構造であるので、従来のハンドル本体と取付足金具を流用して使用することができ、デザインの自由度が増し、自由な設計ができるという効果がある。
【００４４】
請求項２に記載の発明では、前記請求項１に記載の構成に加え、押金34，44が、心棒31，41に一端が貫通されて取り付けられたＬ字形をしたものであり、さらに押金34，44の揺動プレート32，42側の面が揺動プレート32，42と接するようになっているものとしており、厚さの異なるドアに適用する場合には、押金34，44を交換するだけで良くなり、汎用性に富む使いやすいものとなる。
【図面の簡単な説明】
【図１】この発明のドアハンドルをドアに取り付けた状態を示す斜視図である。
【図２】この発明のドアハンドルをドアに取り付けた状態を示す断面図である。
【図３】この発明のドアハンドルのプッシュ側とプル側のプレートの関係を示す説明図である。
【図４】この発明のドアハンドルのプッシュ側のプレートの分解斜視図である。
【図５】この発明のドアハンドルのプル側のプレートの分解斜視図である。
【符号の説明】
Ｄ  ドア
１  ハンドル本体
２  取付足金具
５  錠前
5a  ラッチ
5b  ケーシング
5c  操作部
30，40  固定プレート
31，41  心棒
32，42  揺動プレート
34，44  押金
【図１】
0003924741.tif 000002
【図２】
0003924741.tif 000003
【図３】
0003924741.tif 000004
【図４】
0003924741.tif 000005
【図５】
0003924741.tif 000006